(57)【要約】【課題】水中構造物の壁面への水生生物の付着を防止する。【解決手段】水生生物の忌避物質が防汚塗料として少なくとも表面全体に塗布された角形板状のパネル本体２と、パネル本体の少なくともいずれか一辺の周縁部に一体に形成された連結片Ｘ１，Ｙ１を有し、連結片はパネル本体の厚み相当分の段差をもってパネル本体の裏面側に形成され、パネル本体の他辺の周縁部は他のパネルの連結片の表面側に重ね合わせられる連結縁部Ｘ２，Ｙ２として形成され、かつ連結片および連結縁部には合致する位置にアンカーボルト等の取付具が挿通する取付孔４がそれぞれ形成されている。【選択図】図２
2007177397.tif 000002
【特許請求の範囲】
【請求項１】
水中構造物の表面への水生生物の付着を防止するべく水中構造物の表面を覆うように複数並べられて取り付けられるパネルであって、
水生生物の忌避物質が防汚塗料として少なくとも表面全体に塗布された角形板状のパネル本体と、該パネル本体の少なくともいずれか一辺の周縁部に一体に形成された連結片とを有し、
前記連結片は前記パネル本体の厚み相当分の段差をもって該パネル本体の裏面側に形成され、
前記パネル本体の前記連結片が形成されていない他辺の周縁部は、隣接配置される他のパネルの連結片の表面側に重ね合わせられる連結縁部として形成され、
かつ前記連結片および前記連結縁部には、隣接配置される他のパネルの連結縁部および連結片が重ね合わせられた状態で合致する位置にアンカーボルト等の取付具が挿通する取付孔がそれぞれ形成されていることを特徴とするパネル。
【請求項２】
請求項１記載のパネルであって、
パネル本体の裏面には、連結縁部の裏面側を除いて連結片の厚み相当分の緩衝材が取り付けられていることを特徴とするパネル。
【請求項３】
請求項１または２記載のパネルであって、
パネル本体および連結片は、柔軟な素材によって湾曲可能な平板状に一体成形されていることを特徴とするパネル。
【請求項４】
請求項１，２または３記載のパネルを水中構造物の表面全体を覆うように隙間無く並べて取り付けるためのパネルの取付方法であって、
水中構造物の表面に予めアンカーボルトを取り付け、
まず、いずれかのパネルを、その連結片に形成してある取付孔内にアンカーボルトを通すことによって水中構造物の表面に装着し、
次いで、前記パネルに隣接配置する他のパネルを、その連結縁部に形成してある取付孔内に前記アンカーボルトを通すことによって該パネルを水中構造物の表面に装着するとともに、その連結縁部を先に装着したパネルの連結片上に重ね合わせ、
該アンカーボルトに、防汚塗料を塗布した座金を介してナットを螺着して締結することにより、それら２枚のパネルの連結片と連結縁部とを重ね合わせて連結した状態で一括して水中構造物の表面に固定することを特徴とするパネルの取付方法。
【請求項５】
請求項４記載のパネルの取付方法であって、
アンカーボルトに螺着するナットとして緩み止め機構つきのナットを使用するとともに、ナット螺着部には防汚塗料を塗布したキャップを装着し、かつ該キャップ内に水中硬化型の樹脂を充填して硬化させることにより、ナット螺着部全体を該樹脂により固着しかつ前記キャップにより隠蔽することを特徴とするパネルの取付方法。
【請求項６】
請求項４または５記載のパネルの取付方法であって、
連結片および連結縁部の形成位置が異なるのみで全体の形状と寸法が等しくされ、それぞれが以下の構成（１）〜（５）からなる４種類のパネルＡ，Ｂ，Ｃ，Ｄを組み合わせて用いることを特徴とするパネルの取付方法。
（１）パネルＡ〜Ｄはいずれも矩形平板状とされ、かつ、いずれもパネル本体の一方の短辺に対して連結片Ｘ１が形成され、他方の短辺の周縁部が該連結片Ｘ１に重ね合わせ可能な連結縁部Ｘ２とされている。
（２）パネルＡは、パネル本体の両方の長辺に対してそれぞれ連結片Ｙ１が形成されている。
（３）パネルＢは、パネル本体の一方の長辺に対して連結片Ｙ１が形成され、他方の長辺の周縁部が該連結片Ｙ１に重ね合わせ可能な連結縁部Ｙ２とされている。
（４）パネルＣは、パネルＢとは逆側の一方の長辺に対して連結片Ｙ１が形成され、他方の長辺の周縁部が該連結片Ｙ１に重ね合わせ可能な連結縁部Ｙ２とされている。
（５）パネルＤは、パネル本体の両方の長辺の周縁部が、いずれも、パネルＡ〜Ｃにおける連結片Ｙ１に重ね合わせ可能な連結縁部Ｙ２とされている。
【発明の詳細な説明】
【技術分野】
【０００１】
本発明は水生生物の付着を防止するために水中構造物の壁面に取り付けられるパネル、及びそのパネルを水中構造物の表面に隙間なく取り付けるための取付方法に関する。
【背景技術】
【０００２】
各種の水中構造物、たとえば発電所における海水取水施設等においては、その表面にフジツボやイガイ等の水生生物（海生生物）が多量に付着し、それに起因する機能低下や機能障害を引き起こす懸念がある。従来においては付着した水生生物を定期的に掻き落として除去するしかなかったが、最近においては水生生物が嫌う各種の忌避物質が開発され、これを水中構造物の表面に防汚塗料として予め塗布することで水生生物の付着自体を防止し抑制することが行われるようになってきている。
【０００３】
しかし、従来においては忌避物質を防汚塗料として水中構造物の表面に直接的に塗布することから、水面下の壁面に対してはそのまま塗布作業を行うことができず、塗布面全体をドライにする必要があるので、それが不可能な場合には適用できないものである。
また、ドライにして塗布作業を行うことが可能であっても、通常は塗布面に対して大がかりな足場を設置する必要があり、また忌避物質の効果を長期にわたって持続させるためには防汚塗料を充分な厚さに重ね塗りする必要があるため施工期間が長期に及んでしまい、しかも、いずれにしても１年ないし数年程度で防汚塗料の塗り直しが必要となるのでそのたびにドライにする必要があり、その際には既に付着している水生生物を掻き落とすという面倒な準備作業も必要である。
以上のことから、水生生物の忌避物質を防汚塗料として水中構造物の表面に直接的に塗布するという従来の塗布工法では、工費や施工性の点で必ずしも容易に実施できるものではなかった。
【０００４】
そのため、たとえば特許文献１に示されているように、パネルの表面に予め防汚塗料を塗布してそのパネルを水中構造物の壁面に取り付けるという工法も提案されている。そのような工法によれば、水中の壁面に対してもパネルを取り付けることが可能であるので取付面をドライとする必要はないし、在来の塗布作業に比べればパネルの取付作業や交換作業も容易に行うことが可能であるので、今後は広く普及する気運にある。
【特許文献１】特開２００３−３４２９２８号公報
【発明の開示】
【発明が解決しようとする課題】
【０００５】
しかし、特許文献１に示される工法では、パネル間に若干の隙間が生じてしまう余地があって取付面を完全に覆うことは困難であり、そのため必ずしも全面的に充分な防汚性能を確保できない場合もあり、その点での改善が必要とされている。また、上記のパネルをたとえば海水を取水するための大口径の取水管の内面に取り付けるようなことは必ずしも容易ではないことから、そのような場合への適用も可能とするためのパネルの形態や取付手法についての改善も望まれていた。
【課題を解決するための手段】
【０００６】
上記事情に鑑み、本発明のパネルは、水中構造物の表面への水生生物の付着を防止するべく水中構造物の表面を覆うように複数並べられて取り付けられるものであって、水生生物の忌避物質が防汚塗料として少なくとも表面全体に塗布された角形板状のパネル本体と、該パネル本体の少なくともいずれか一辺の周縁部に一体に形成された連結片とを有し、前記連結片は前記パネル本体の厚み相当分の段差をもって該パネル本体の裏面側に形成され、前記パネル本体の前記連結片が形成されていない他辺の周縁部は、隣接配置される他のパネルの連結片の表面側に重ね合わせられる連結縁部として形成され、かつ前記連結片および前記連結縁部には、隣接配置される他のパネルの連結縁部および連結片が重ね合わせられた状態で合致する位置にアンカーボルト等の取付具が挿通する取付孔がそれぞれ形成されていることを特徴とするものである。
【０００７】
本発明のパネルにおいては、パネル本体の裏面に連結縁部の裏面側を除いて連結片の厚み相当分の緩衝材を取り付けたり、パネル本体および連結片を柔軟な素材によって湾曲可能な平板状に一体成形することが好ましい。
【０００８】
本発明のパネルの取付方法は、上記パネルを水中構造物の表面全体を覆うように隙間無く並べて取り付けるための方法であって、水中構造物の表面に予めアンカーボルトを取り付け、まず、いずれかのパネルを、その連結片に形成してある取付孔内にアンカーボルトを通すことによって水中構造物の表面に装着し、次いで、前記パネルに隣接配置する他のパネルを、その連結縁部に形成してある取付孔内に前記アンカーボルトを通すことによって該パネルを水中構造物の表面に装着するとともに、その連結縁部を先に装着したパネルの連結片上に重ね合わせ、該アンカーボルトに、防汚塗料を塗布した座金を介してナットを螺着して締結することにより、それら２枚のパネルの連結片と連結縁部とを重ね合わせて連結した状態で一括して水中構造物の表面に固定することを特徴とするものである。
【０００９】
本発明の取付方法においては、アンカーボルトに螺着するナットとして緩み止め機構つきのナットを使用するとともに、ナット螺着部には防汚塗料を塗布したキャップを装着し、かつ該キャップ内に水中硬化型の樹脂を充填して硬化させることにより、ナット螺着部全体を該樹脂により固着しかつ前記キャップにより隠蔽することが好ましい。また、相互に隙間なくかつ段差なく連結可能なように、連結片および連結縁部の形成位置が異なるのみで全体の形状と寸法が等しい４種類のパネルを組み合わせて用いることが好ましい。
【発明の効果】
【００１０】
本発明のパネルによれば、隣接配置されるパネルの連結片と連結縁部どうしが重ね合わせられて一体に連結された状態で取付面に対して取り付けられるので、パネル間に隙間が生じることがなく、それにより全面的に確実な防汚性能を確保することができる。また、裏面側に緩衝材を取りつけておくことにより取付面の不陸や凹凸を吸収することができる。さらに、柔軟な素材により湾曲可能なパネルとすることにより取水管の内面等の湾曲面にも支障なく取り付けることが可能である。
【００１１】
本発明の取付方法によれば、予め製作したパネルを順次並べていって連結片と連結縁部とを重ね合わせた状態でアンカーボルトに通し、アンカーボルトに座金を介してナットを螺着することにより、各パネルを隙間なく確実にしかも単純作業の繰り返しにより施工性良く容易に取り付けることができる。特に緩み止め機構付きのナットを用い、ナット螺着部にキャップを装着して樹脂により固着することにより、万全の緩み止め効果が得られる。また、連結片と連結縁部の異なる４種のパネルを組み合わせて用いることにより、様々な形態の取付面に適用可能であり、特に管路内面に取り付ける場合に最適である。
【発明を実施するための最良の形態】
【００１２】
図１〜図８を参照して本発明の一実施形態を説明する。本実施形態は、図１に示すような大口径の取水管１の内面への水生生物の付着を防止するべく、その取水管１の内面全体を覆うように多数のパネルＰ（後述する４種類のパネルＡ，Ｂ，Ｃ，Ｄ）を取り付ける場合の適用例である。本実施形態におけるパネルＰは、基本的には特許文献１に示されるパネルと同様に表面全体に水生生物の忌避物質が防汚塗料として塗布されているものであるが、その全体の形状は図４〜図７に示すような薄い矩形平板状に形成されており、かつその素材としてはたとえばＦＲＰ等の若干の湾曲が可能な比較的柔軟な素材が用いられていて、図１に示すように各パネルＰを取り付ける際に取水管１の内面に密着させるように湾曲させ、かつ隣接して取り付けるパネルＰの周縁部どうしを互いに重ね合わせた状態で隙間なく連結して固定するものとしている。
【００１３】
そのため、本実施形態では図４〜図７に示す４種類のパネルＰを組合わせて用いることとしている。それらパネルＰは、いずれも矩形平板状のパネル本体２を主体としてそのパネル本体２のいずれかの周縁部に連結片Ｘ１、Ｙ１が一体に形成され、かつそのような連結片Ｘ１、Ｙ１が形成されていない他の周縁部はそれ自体が連結片Ｘ１、Ｙ１に重ね合わせられる連結縁部Ｘ２、Ｙ２とされているものである。そして４種類のパネルＰは、それぞれに形成されている連結片Ｘ１、Ｙ１と連結縁部Ｘ２、Ｙ２の位置と数とが異なるのみで全体の形状と寸法は等しくされている。
【００１４】
以下、本実施形態における４種類のパネルＰについて説明するが、それら４種類のパネルＰを区別する必要がある場合には特にそれぞれをパネルＡ，Ｂ，Ｃ，Ｄといい、図面ではそれぞれＰ（Ａ），Ｐ（Ｂ），Ｐ（Ｃ），Ｐ（Ｄ）の符号を付す。なお、以下の説明ではパネルＡ〜Ｄの形状やそれらの連結の構造が理解し易いように各部に寸法を付してあるが、その寸法はあくまで一例に過ぎず、本発明をそのような寸法のものに限定する主旨では勿論ない。
【００１５】
本実施形態における各パネルＡ〜Ｄは、内径が３３００ｍｍφの取水管１の内面に対して８枚を１組として１リングとなるように隙間なく並べて取り付けるものとして、いずれも全体の短辺寸法が１４０８ｍｍ、長辺寸法が２１００ｍｍとされ、パネル本体２の厚みが３ｍｍとされているものである。そして、いずれもパネル本体２の一方の短辺に対して幅１００ｍｍの連結片Ｘ１が形成され、他方の短辺の周縁部は他のパネルの連結片Ｘ１上に直接的に重ね合わせられる連結縁部Ｘ２となっている。
上記の連結片Ｘ１は、パネル本体２の表面からその厚み相当分（つまり３ｍｍ）の段差をもってパネル本体２の裏面側に形成されており、したがって２枚のパネルの連結片Ｘ１と連結縁部Ｘ２とを重ね合わせることよりそれらの表面に段差や隙間が生じることなく滑らかに連結されるようになっている。なお、連結片Ｘ１自体の厚みもパネル本体２の厚さと同じく３ｍｍとされており、したがって重ね合わせ部では６ｍｍの厚みとなる。
【００１６】
また、各パネルＡ〜Ｄの側縁部には、上記の連結片Ｘ１または連結縁部Ｘ２と同様の連結片Ｙ１または連結縁部Ｙ２がそれぞれ以下のようにして形成されている。
図４に示すパネルＡには、パネル本体２の両方の長辺に対して連結片Ｙ１が形成されている。
図５に示すパネルＢには、パネル本体２の一方の長辺に対してのみ連結片Ｙ１が形成され、他方の長辺の周縁部は他のパネルの連結片Ｙ１に重ね合わせられる連結縁部Ｙ２とされている。
図６に示すパネルＣには、パネルＢとは逆側の一方の長辺に対して連結片Ｙ１が形成され、他方の長辺の周縁部が連結縁部Ｙ２とされている。
図７に示すパネルＤは、両方の長辺の周縁部が、パネルＡ〜Ｃに形成されている連結片Ｙ１に重ね合わせられる連結縁部Ｙ２とされている。
【００１７】
そして、各パネルＡ〜Ｄの連結片Ｘ１，Ｙ１と連結縁部Ｘ２，Ｙ２、およびパネル本体２の幅方向の中心位置には、それぞれアンカーボルト３を通すための取付孔４が形成されている。それら取付孔４の相互間隔は、図４〜図７に示すように短辺方向では６５４ｍｍを基準とし、長辺方向では６６５ｍｍおよび６７０ｍｍを基準としているが、図８に示すようにそれら取付孔４はいずれも各パネルの幅方向にやや長い長穴として形成され、かつ各パネルの側縁部に位置している取付孔４は上記の基準寸法線に対してやや内側に偏心したものとなっている。
【００１８】
また、各パネルＡ〜Ｄのパネル本体２裏面側には、連結縁部Ｘ２，Ｙ２の裏面側を除いて緩衝材４が取り付けられている。緩衝材５の厚みは連結片Ｘ１，Ｙ１の厚みと同じく３ｍｍとされ、それにより緩衝材５を含めたパネル全体の厚みは６ｍｍとされ、パネル裏面は連結縁部Ｘ２，Ｙ２の裏面側を除いて段差のない平坦面となっている。緩衝材５としては取付面の不陸や凹凸を吸収可能な柔軟なもの、たとえばスポンジ状のものや発泡スチロール等の多孔質のもの、もしくはゴム系のものが好適に採用可能である。
【００１９】
本実施形態では、上記のパネルＡ〜Ｄを図１に示すようにそれぞれ２枚ずつ計８枚を１組として使用して取水管１の内面に１リング分として取り付け、その１リング分のパネルＡ〜Ｄを下流側から上流側に向かって取水管１の全長にわたって順次取り付けていくようにしている。その場合の各パネルＡ〜Ｄの割り付け例と、既設の取水管１の内面に対して水中作業によってそれらパネルＡ〜Ｄを取り付けていく場合の作業手順について、図２および図３を参照して説明する。
【００２０】
図２は取水管１の下半部に対するパネルの割り付け例を展開図として示すものである。ここでは、最底部にパネルＤを配置し、その左側にはパネルＡを配置し、さらにその左側にはパネルＢを配置している。また最底部のパネルＤの右側にはパネルＡを配置し、さらにその右側にはパネルＣを配置している。また、下半部に配置した以上の５枚に加え、上半部には図１に示すように頂部にパネルＤ、その左側にはパネルＢ、右側にはパネルＣを配置しており、それら全８枚のパネルＡ〜Ｄにより１リング分を形成している。
各パネルＡ〜Ｄを上記のように配置することにより、隣接配置される双方のパネルの連結片Ｙ１と連結縁部Ｙ２とが自ずと重ね合わせられた状態で取水管１内面に対して一体に連結固定され、さらに各パネルＡ〜Ｄの上流側にそれぞれ同種の他のパネルＡ〜Ｄを隣接配置してそれらの連結片Ｘ１と連結縁部Ｘ２とを重ね合わせることにより次の１リング分が同様に形成され、以上の作業を上流側に向かって順次繰り返していくことで取水管１の内面全体が各パネルＡ〜Ｄにより隙間なく覆われるものとなっている。
【００２１】
既存の取水管１の内面に対して水中作業により各パネルＡ〜Ｄを取り付けていくための作業手順としては、まず取水管１の表面に水生生物が既に付着している場合にはそれを除去した後、アンカーボルト３の墨出し、アンカーボルト３の打設を行う。アンカーボルト３の打設は、取付面である取水管１内面が鋼面である場合には水中スタッドボルトを特殊ガンにより打ち込むと良く、コンクリート面である場合には水中ケミカルアンカーまたは適宜の機械式アンカーを用いれば良い。
そして、たとえば取水管１の底部のやや右側位置にパネルＡを配置し、その連結片Ｙ１および中央部に形成してある取付孔４内にそれぞれアンカーボルト３を通し、まず図３（ｂ）に示すように中央部の取付孔４に対し座金６を介してナット７を螺着して仮締めする。これによりそのパネルＡは自ずと湾曲して取水管内面に密着する。
図２に示したようにそのパネルＡの左隣には最終的にパネルＤが配置されるが、その固定は、パネルＤの連結縁部Ｙ２を先に配置した上記のパネルＡの連結片Ｙ１上に重ね合わせて取付孔４内にアンカーボルト３を通し、図３（ａ）に示すようにアンカーボルト３に座金６を介してナット７を螺着して締め付ける。
この際、ナット７としては緩み止め機構つきのいわゆるＵナットを用いるとともに、図３に示すようにナット螺着部にはたとえばＦＲＰ製のキャップ８を装着し、さらにそのキャップ８内には水中硬化型の樹脂（つまり接着剤）９を充填する。これにより、ナット螺着部全体がキャップ８により隠蔽されるとともに樹脂９の硬化により固着され、万全の緩み止めとナット脱落防止がなされる。勿論、座金６およびキャップ８の少なくとも外表面には予め防汚塗料を塗布しておいてそこへの水生生物の付着も防止する。
【００２２】
本実施形態によれば、上記の各パネルＡ〜Ｄを連結片Ｙ１と連結縁部Ｙ２、および結片Ｘ１と連結縁部Ｘ２とを、順次重ね合わせて連結しつつ並べて取り付けていくことにより、取水管１内面全体をそれらパネルＡ〜Ｄにより隙間なく、しかも段差なく、完全に覆うことができ、万全の防汚性能を確保することができる。また、各パネルＡ〜Ｄの裏面には緩衝材５が取り付けられているので取水管１の内面に多少の凹凸や不陸があっても支障なく吸収することができるし、取付孔４を長穴としているので取水管１の多少の寸法誤差にも対応可能である。
【００２３】
また、予め製作した４種のパネルＡ〜Ｄを上記のように連結片Ｘ１，Ｙ１上に連結縁部Ｘ２，Ｙ２を重ねながら順次並べていってアンカーボルト３により締結固定すれば良いから、そのような単純作業の繰り返しにより優れた施工性を確保でき、大断面かつ長距離の取水管１に対しても短工期での施工が可能である。その際、上記実施形態のように下流側から上流側に向かって施工を進めて下流側のパネルＰの連結片Ｘ１上に上流側のパネルＰの連結縁部Ｘ２を重ねていくようにすれば、各パネルＰに対して水流による揚力が作用することはなくいので万一ナット７が緩んだような場合であってもパネルＰが浮き上がったり剥離するようなことはない。
勿論、各パネルＡ〜Ｄは充分に薄くかつ充分に軽量なものであるので施工の際の取り扱いは容易であるし、柔軟性を有していて軽く押し当てることのみで取水管１の内面に容易に密着させることができるから、その点においても施工性に優れるものである。
【００２４】
以上で本発明の一実施形態を説明したが、本発明は上記実施形態に限定されることなく、たとえば以下に列挙するような適宜の設計的変更が可能である。
上記実施形態のパネルＰ（パネルＡ〜Ｄ）は取水管１の内面に取り付けることを前提として柔軟な素材により湾曲可能なものとしたのであるが、単に平坦な壁面に取り付ける場合には湾曲するものである必要はないので、その際は単なる平板状に成形して所望の強度や剛性をもたせたものとしても勿論良い。あるいは、所望の曲率の円弧状に予め成形したり、壁面のコーナー部（出隅部や入隅部）に取り付けるものとして予めＬ状に折曲成形しておくことも考えられる。勿論、連結片を含めてパネル本体の素材は任意であるし、緩衝材が不要な場合には省略しても差し支えない。なお、防汚塗料は少なくともパネル本体の表面全体（連結縁部も含む）に塗布しておけば良いが、連結縁部と連結片との重ね合わせ部にわずかな隙間が生じることも想定して、可能であればパネル本体や連結片の小口面やさらには裏面に対しても防汚塗料を塗布しておくとより万全である。
本発明は既設の水中構造物としての取水管に対してパネルを水中作業によって取り付けるものとして最適であるといえるが、新設構造物にも適用可能であることは当然であるし、取付面をドライにすることが可能な場合には気中作業によって取り付けることも勿論可能である。
上記実施形態では４種のパネルＡ〜Ｄを組み合わせて用いたが、必ずしもそうすることはなく、要は各パネルＰどうしを連結片Ｘ１と連結縁部Ｘ２、および連結片Ｙ１と連結縁部Ｙ２とを重ね合わせて隙間なく連結しつつ一体に取り付けていけば良いのであって、その限りにおいて各パネルの形状（縦横比）や全体の外形寸法、厚さ寸法、パネルどうしの組み合わせや割り付け、取付作業の順序、その他を任意に設定すれば良く、同様の構造で隙間なく連結できるものどうしであれば形状や寸法の異なるパネルどうしを組み合わせることも妨げるものではない。
勿論、水中構造物に対する固定手法もアンカーボルトによる直接的な締結に限らず適宜の取付具による適宜の固定手段が採用可能であるし、取付孔の位置や数も任意であるが、いずれにしても充分な固定強度を確保できかつパネル交換も比較的簡単に行い得るものとすることが好ましい。
【図面の簡単な説明】
【００２５】
【図１】本発明の実施形態を示すもので、取水管の内面にパネルを取り付けた状態を示す図である。
【図２】同、パネルの割り付け状態を示す展開図である。
【図３】同、アンカーボルトによる取付部の構造を示す詳細図であり、（ａ）は図１におけるIIIａ部の拡大図、（ｂ）は図１におけるIIIｂ部の拡大図である。
【図４】同、パネルＡの形状を示す図である。
【図５】同、パネルＢの形状を示す図である。
【図６】同、パネルＣの形状を示す図である。
【図７】同、パネルＤの形状を示す図である。
【図８】同、各パネルにおける取付孔の形状を示す図である。
【符号の説明】
【００２６】
Ｐ  パネル
Ｐ（Ａ）  パネルＡ
Ｐ（Ｂ）  パネルＢ
Ｐ（Ｃ）  パネルＣ
Ｐ（Ｄ）  パネルＤ
Ｘ１，Ｙ１  連結片
Ｘ２，Ｙ２  連結縁部
１  取水管（水中構造物）
２  パネル本体
３  アンカーボルト（取付具）
４  取付孔
５  緩衝材
６  座金
７  ナット
８  キャップ
９  樹脂
【図１】
2007177397.tif 000003
【図２】
2007177397.tif 000004
【図３】
2007177397.tif 000005
【図４】
2007177397.tif 000006
【図５】
2007177397.tif 000007
【図６】
2007177397.tif 000008
【図７】
2007177397.tif 000009
【図８】
2007177397.tif 000010